【手続補正書】
【提出日】令和1年11月6日(2019.11.6)
【手続補正１】
【補正対象書類名】明細書
【補正対象項目名】００１０
【補正方法】変更
【補正の内容】
【００１０】
従来の耐震構造である筋かいや合板や土壁は、何れも大地震のような一定強度を超える水平荷重を受けると破断もしくは耐力をなくし、一気に建物を倒壊させる問題があった。
特に、合板を用いた耐力壁構造は、柱に対して合板を所定間隔で釘打ちしたものであり、釘によって止められているだけなので、釘耐力が壁耐力となる。そのため、大地震のような一定強度を超える水平荷重を受けると、四隅付近の釘が抜けて破損し、その周辺部分の釘抜けが徐々に拡大し、やがて合板の耐力が大きく低下してしまう。
また、筋かいも、大地震のような一定強度を超える水平荷重を受けた場合に、柱と梁の留め金具にネジ止めしている部分のネジが柱や梁から抜け、筋かいの耐力が大きく低下してしまう。
合板や筋かいの耐力が大きく低下すると、木造建築物が一気に倒壊し、居住者の生命に重大な危害を及ぼすこともある。
そのため、木造建築物は粘り強い耐力構造であることが求められる。
【手続補正２】
【補正対象書類名】明細書
【補正対象項目名】００１１
【補正方法】変更
【補正の内容】
【００１１】
特許文献１は、補強構造１と補強部材３を取付けているので、取付け作業に多大な時間と労力を要し、高価となる。また、補強部材３が圧縮力を減衰するとしても、大地震の際には、留め金具が貫通している合成樹脂発泡体１４の孔を広げるように破壊するか、留め金具を取り付けているネジ・ボルトが構造材から抜けると、合成樹脂発泡体１４の機能である圧縮力の減衰を達成できない場合もある。
【手続補正３】
【補正対象書類名】明細書
【補正対象項目名】００１３
【補正方法】変更
【補正の内容】
【００１３】
第１の発明は、１対の柱と１対の横架材によって囲まれた空間部を有する構造部材を、第１の方向にかつ対をなすようにそれぞれ複数配置し、第１の方向に直交する第２の方向であって対をなすように複数配置して構成される木造建築物において、複数の第１の発泡樹脂板状部材と、複数の第２の発泡樹脂板状部材を備える。
第１の発泡樹脂板状部材は、１対の柱と１対の横架材によって囲まれた空間部を有する複数の構造部材のうち、壁耐力を必要とする複数箇所の第１の構造部材に含まれる第１の空間部のそれぞれの立面形状と略同等の形状に選ばれ、各第１の構造部材に固定（又は固着）されることなく、当該第１の構造部材に対応する第１の空間部にそれぞれ嵌め込まれる。
第２の発泡樹脂板状部材は、複数の構造部材のうちの壁耐力を必要としない複数箇所の第２の構造部材に含まれかつ複数の第１の空間部と開口部を除いた第２の空間部のそれぞれの立面形状と略同程度の形状に選ばれ、各第２の構造部材に固定（又は固着）されることなく、当該第２の構造部材に対応する第２の空間部のそれぞれに嵌め込まれる。
さらに、第１の発泡樹脂板状部材は、その長辺方向の側面が第１の構造部材に含まれる１対の柱に接することによって、水平方向から第１の方向又は第２の方向へ水平荷重（又は水平力）が加わるときに、当該柱を介して当該水平荷重による圧縮力を側面で受けることによって、耐力壁として作用する。
第２の発泡樹脂板状部材は、１対の柱の一方の柱から他方の柱に伝わる圧縮力を低減させる圧縮力低減部を有し、水平方向から第１の方向又は第２の方向へ水平荷重が各１対の柱に加わったときに、圧縮力低減部によって一方の柱から他方の柱に伝わる圧縮力を低減させるように作用する。
【手続補正４】
【補正対象書類名】明細書
【補正対象項目名】００１９
【補正方法】変更
【補正の内容】
【００１９】
第６の発明は、第１の発明ないし第４の発明において、第１の発泡樹脂板状部材として、側面による圧縮力が５ニュートン／平方センチメートル以上の発泡プラスチック系フォームが用いられる。
【手続補正５】
【補正対象書類名】明細書
【補正対象項目名】００２０
【補正方法】変更
【補正の内容】
【００２０】
第７の発明は、１対の柱と１対の横架材によって囲まれた空間部を有する構造部材を、第１の方向にかつ対をなすようにそれぞれ複数配置し、第１の方向に直交する第２の方向であって対をなすように複数配置して構成される木造建築物における耐力工法であって、第１の工程ないし第４の工程を備える。
第１の工程では、１対の柱と１対の横架材によって囲まれた空間部を有する複数の構造部材のうち、壁耐力を必要とする複数箇所の第１の構造部材に含まれる第１の空間部のそれぞれの立面形状と略同程度の形状に選ばれ、当該第１の構造部材と関連して耐力を発揮する壁構造となる複数の第１の発泡樹脂板状部材を準備する。
第２の工程では、複数の構造部材のうちの、壁耐力を必要としない複数個所の第１の構造部材に含まれかつ第１の空間部と窓やドア等の開口部を除いた第２の空間部のそれぞれの立面形状と略同程度の形状に選ばれ、１対の柱の一方の柱から他方の柱に伝わる圧縮力を低減させるような圧縮力低減部を有する複数の第２の発泡樹脂板状部材を準備する。
第３の工程では、第１の発泡樹脂板状部材を複数の第１の構造部材に固定することなく、当該第１の構造部材に対応する複数の第１の空間部にそれぞれ嵌め込む。
第４の工程では、第２の発泡樹脂板状部材を、第１の空間部と開口部を除いた第２の空間部のそれぞれに嵌め込む。
そして、第１の発泡樹脂板状部材の長辺方向の側面が第１の構造部材に含まれる１対の柱に接することによって、水平方向から第１の方向又は第２の方向へ水平荷重が加わるときに、当該柱を介して当該水平荷重による圧縮力を当該第１の発泡樹脂板状部材の側面で受けることによって、当該第１の発泡樹脂板状部材を耐力壁として作用させる。また、水平方向から第１の方向又は第２の方向へ水平荷重が各１対の柱に加わったときに、一方の柱から他方の柱に伝わる圧縮力を低減させるように、第２の発泡樹脂板状部材を作用させる。
【手続補正６】
【補正対象書類名】明細書
【補正対象項目名】００２９
【補正方法】変更
【補正の内容】
【００２９】
第１の発泡樹脂板状部材２１および第２の発泡樹脂板状部材２２は、同じ材質の押出法ポリスチレンフォーム等が用いられる。第１の発泡樹脂板状部材２１および第２の発泡樹脂板状部材２２は、サイズ的に短辺方向の幅ｄが１対の柱１１ａ，１１ｂ（又は１１ｂ，１１ｃ）の間隔と略同程度（同一又はそれよりも若干短く、例えば１〜３ｍｍ短く）、長辺方向の長さ（高さ）ｈが１対の横架材１２ａ，１２ｂの間隔と略同程度（同一又はそれよりも若干短く、例えば１〜３ｍｍ短く）選ばれる。
第１の発泡樹脂板状部材２１および第２の発泡樹脂板状部材２２は、圧縮強度の異なるものが用いられる。第１の発泡樹脂板状部材２１の圧縮強度は、側面の圧縮力が０．５ｋｇｆ（＝４．９ニュートン、略５ニュートン）／平方センチメートル以上のものが選ばれる。ここで、第１の発泡樹脂板状部材２１の側面の圧縮強度が０．５ｋｇｆ（＝４．９ニュートン、略５ニュートン）／平方センチメートル以上の圧縮力を要するのは、１対の柱１１ａ，１１ｂに接する長辺方向の側面（すなわち、後述の図４（ｂ）に示す正面から見て左右の側面）である。
一方、第２の発泡樹脂板状部材２１の圧縮強度は、側面の圧縮力が０．５ｋｇｆ／ｃｍ２又は５ニュートン（以下「Ｎ」と表記する）／ｃｍ２を大きく下回る値であって、圧縮強度を考慮する必要のない程に低減されたもの（例えば土壁よりも小さな石膏ボードの壁倍率０．５以下のもの）が用いられる。
【手続補正７】
【補正対象書類名】明細書
【補正対象項目名】００３８
【補正方法】変更
【補正の内容】
【００３８】
上記計算上の結果によれば、上記条件の第１の発泡樹脂板状部材２１は、壁倍率が合板と略同等になることが分かる。
壁倍率１の土壁と比べて、２．４倍あるので、側面の圧縮強度が１／２の５Ｎ／ｃｍ２（約０．５ｋｇｆ／ｃｍ２）の発泡プラスチック系フォームでも第１の発泡樹脂板状部材２１として用いることができる。
そして、第１の発泡樹脂板状部材２１が空間部１４の詰め物（又はクッション）となっているので、筋かいや合板を用いた木造建築物が倒壊する程度の水平荷重を受けたとしても、一気に破壊することもなく徐々に破壊されるので、木造建築物が倒壊するまでに時間的余裕を確保でき、居住者が逃げ出すことのできる可能性を高めることができる。
【手続補正８】
【補正対象書類名】明細書
【補正対象項目名】００４９
【補正方法】変更
【補正の内容】
【００４９】
次に、Ｘ方向とＹ方向の両方向で耐力壁をバランスよく配置する方法について考察する。
図５の例に示す平面構造の木造建築物１０の場合は、Ｘ方向がＹ方向よりも長いので、窓１６を除く全ての壁面に第１の発泡樹脂板状部材２１を嵌め込むと、Ｘ方向とＹ方向の耐力壁のバランスを保つことができない。特に、Ｘ方向においては、上辺と下辺が窓１６を配置した下辺と窓を配置しない上辺で、壁耐力の差が大きくなり、Ｘ方向の向かい合う辺（上辺と下辺）の耐力バランスが大きく異なってしまうことになる。
そこで、図５の例では、耐力構造的に重要性の低いＸ方向の中央に近い構造部材１３ｂ，１３ｇ（左辺から２番目の構造部材），１３ｈ，１３ｉ（左辺から３番目と４番目の構造部材）に耐力を有しない第２の発泡樹脂板状部材２１を入れることにより、Ｘ方向の外側壁面の耐力壁となる第１の発泡樹脂板状部材２１の数を上辺と下辺で同数（又は大きく差が生じない程度）とし、Ｙ方向の外側壁面の耐力壁となる第１の発泡樹脂板状部材２１の数を左辺と右辺で同数とし、全体的に耐力壁のバランスを取るようにしている。換言すると、図５の例では、木造建築物１０の四隅の角柱に接する各構造部材１３ａ，１３ｄ，１３ｆ，１３ｊ，１３ｎ，１３ｍ，１３ｏおよび１３ｐには、耐力壁となる第１の発泡樹脂板状部材２１が嵌め込まれる。
このようにバランスよく耐力壁（第１の発泡樹脂板状部材２１）を配置して、水平方向のあらゆる方向から水平荷重が加わった場合でも、回転による建物全体としてのねじれが生じるのを防止している。
【手続補正９】
【補正対象書類名】明細書
【補正対象項目名】００５５
【補正方法】変更
【補正の内容】
【００５５】
（実施例３）
図１０はこの発明のその他の実施例（第１の発泡樹脂板状部材の他の例）を示す概念図であり、特に図１０（ａ）が他の第１の発泡樹脂板状部材２１ａの横断面図、図１０（ｂ）がこの発明の他の実施例の木造建築物の一部の平面図である。
この実施例の第１の発泡樹脂板状部材２１ａは、図１０（ａ）に示すように、その長辺の側面に僅かな傾斜面を形成することにより、横断面（空間部に嵌め込まれたときの平面）から見て台形状（短辺と長辺が平行な台形状）に形成される。すなわち、第１の発泡樹脂板状部材２１ａは、その短辺の一方辺（図示の下辺で外側となる面）の長さｄが１対の柱１１ａ，１１ｂの間隔と同じ長さに選ばれ、他方辺（図示の上辺で内側となる面）の長さが１対の柱１１ａ，１１ｂの間隔よりも２ｘだけ短く（ｄ−２ｘ）選ばれることにより、１対の柱１１ａ，１１ｂに接する側面が僅かな傾斜を有するように構成される。ここで、ｘは例えば１〜２ｍｍ程度、傾斜角度は９０度より若干（０．８〜２度）小さな角度である。
また、好ましくは、第１の発泡樹脂板状部材２１ａは、横架材１２ｂに接する辺が内側面に傾斜して形成され、横架材１２ａに接する辺が主面に対して直角に選ばれる。すなわち、柱１１ａ，１１ｂと横架材１２ｂに接する側面（主面から見て左右と上辺の３側面）が嵌め込んだときに内側となる面に向けて傾斜するように構成される。
上述のような第１の発泡樹脂板状部材２１ａは、図３（ａ）のものの側面を切削加工して作られる。
この第１の発泡樹脂板状部材２１ａは、図１０（ｂ）に示すように、台形状の上辺を奥行方向の面として、１対の柱１１ａ，１１ｂと１対の横架材１２ａ，１２ｂで囲まれる構造部材１３ａの空間部１４ａに嵌め込まれる。
この実施例のように第１の発泡樹脂板状部材２１ａを構成すれば、木造建築物の内側となる主面の平面形状が１対の柱１１ａ，１１ｂと１対の横架材１２ａ，１２ｂで囲まれる構造部材１３ａの空間部１４ａよりも若干小さいので、嵌め込み作業が容易かつ迅速に行えることに加えて、外側となる主面の平面形状が構造部材１３ａの空間部１４ａと同一なので、隙間がなく、断熱性に優れた発泡樹脂板状部材２１ａが得られる。また、横架材１２ａに接する辺を主面に対して直角にすれば、横架材１２ａ上で水平に載置されることになり、立てた状態に安定して保持できる。
【手続補正１０】
【補正対象書類名】特許請求の範囲
【補正対象項目名】請求項１
【補正方法】変更
【補正の内容】
【請求項１】
１対の柱と１対の横架材によって囲まれた空間部を有する構造部材を、第１の方向にかつ対をなすようにそれぞれ複数配置し、第１の方向に直交する第２の方向であって対をなすように複数配置して構成される木造建築物において、
前記１対の柱と１対の横架材によって囲まれた空間部を有する複数の構造部材のうち、壁耐力を必要とする複数箇所の第１の構造部材に含まれる第１の空間部のそれぞれの立面形状と略同等の形状に選ばれ、各第１の構造部材に固定されることなく、当該第１の構造部材に対応する第１の空間部にそれぞれ嵌め込まれる、複数の第１の発泡樹脂板状部材、および
前記複数の構造部材のうちの壁耐力を必要としない複数個所の第２の構造部材に含まれかつ前記複数の第１の空間部と開口部を除いた第２の空間部のそれぞれの立面形状と略同程度の形状に選ばれ、各第２の構造部材に固定されることなく、当該第２の構造部材に対応する第２の空間部のそれぞれに嵌め込まれる、複数の第２の発泡樹脂板状部材を備え、
前記第１の発泡樹脂板状部材は、その長辺方向の側面が前記第１の構造部材に含まれる１対の柱に接することによって、水平方向から第１の方向又は第２の方向へ水平荷重が加わるときに、当該柱を介して当該水平荷重による圧縮力を第１の発泡樹脂板状部材の側面によって受けて、耐力壁として作用し、
前記第２の発泡樹脂板状部材は、前記１対の柱の一方の柱から他方の柱に伝わる圧縮力を低減させる圧縮力低減部を有し、水平方向から第１の方向又は第２の方向へ水平荷重が各１対の柱に加わったときに、圧縮力低減部によって一方の柱から他方の柱に伝わる圧縮力を低減させるように作用することを特徴とする、木造建築物の耐力構造。
【手続補正１１】
【補正対象書類名】特許請求の範囲
【補正対象項目名】請求項６
【補正方法】変更
【補正の内容】
【請求項６】
前記第１の発泡樹脂板状部材は、側面による圧縮力が５ニュートン／平方センチメートル以上の発泡プラスチック系フォームであることを特徴とする、請求項１に記載の木造建築物の耐力構造。
【手続補正１２】
【補正対象書類名】特許請求の範囲
【補正対象項目名】請求項７
【補正方法】変更
【補正の内容】
【請求項７】
１対の柱と１対の横架材によって囲まれた空間部を有する構造部材を、第１の方向にかつ対をなすようにそれぞれ複数配置し、第１の方向に直交する第２の方向であって対をなすように複数配置して構成される木造建築物における耐力工法であって、
前記１対の柱と１対の横架材によって囲まれた空間部を有する複数の構造部材のうち、壁耐力を必要とする複数箇所の第１の構造部材に含まれる第１の空間部のそれぞれの立面形状と略同程度の形状に選ばれ、当該第１の構造部材と関連して耐力を発揮する壁構造となる複数の第１の発泡樹脂板状部材を準備する第１の工程、
前記複数の構造部材のうちの壁耐力を必要としない複数個所の第１の構造部材に含まれかつ前記第１の空間部と開口部を除いた第２の空間部のそれぞれの立面形状と略同程度の形状に選ばれ、前記１対の柱の一方の柱から他方の柱に伝わる圧縮力を低減させるような圧縮力低減部を有する複数の第２の発泡樹脂板状部材を準備する第２の工程、
前記第１の発泡樹脂板状部材を前記複数の第１の構造部材に固定することなく、当該第１の構造部材に対応する複数の第１の空間部にそれぞれ嵌め込む第３の工程、
前記第２の発泡樹脂板状部材を、前記第１の発泡樹脂板状部材が嵌め込まれるべき前記第１の空間部と開口部を除いた第２の空間部のそれぞれに嵌め込む第４の工程を備え、
前記第１の発泡樹脂板状部材の長辺方向の側面が前記第１の構造部材に含まれる１対の柱に接することによって、水平方向から第１の方向又は第２の方向へ水平荷重が加わるときに、当該柱を介して当該水平荷重による圧縮力を当該第１の発泡樹脂板状部材の側面で受けて、当該第１の発泡樹脂板状部材を耐力壁として作用させ、
水平方向から第１の方向又は第２の方向へ水平荷重が各１対の柱に加わったときに、一方の柱から他方の柱に伝わる圧縮力を低減させるように、前記第２の発泡樹脂板状部材を作用させることを特徴とする、木造建築物の耐力工法。